(57)【要約】【課題】ＯＣＢモード液晶を用い、ＯＮ／ＯＦＦ制御により調光されるバックライトを有する液晶表示装置においては、画面に輝度ムラが生じていた。【解決手段】ＯＣＢモード液晶を用いた、アクティブマトリックス型の液晶表示パネル４１０と、ソース／ゲート駆動手段４４０と、バックライト１１０と、バックライト１１０が周期的にＯＮ／ＯＦＦするように制御するバックライト制御手段１３０とを備え、バックライト制御手段１３０は、バックライト１３０のＯＮ期間とＯＦＦ期間とが周期的に割り当てられ、割り当てられる前記バックライトのＯＮ／ＯＦＦ周期ＴＢと前記液晶表示パネルのゲートラインの切換期間ＴＧとの間の関係が、ＴＢ＝（１／ｎ）・ＴＧ  （ｎ：自然数）となるように、バックライト１１０のＯＮ／ＯＦＦの周期を制御する。【選択図】図１
2007004148.tif 000002
【特許請求の範囲】
【請求項１】
ＯＣＢモード液晶を用いた、アクティブマトリックス型の液晶表示パネルと、
前記液晶表示パネルを駆動する駆動手段と、
前記液晶表示パネルを照明するバックライトと、
前記バックライトが周期的にＯＮ／ＯＦＦするように制御するバックライト制御手段とを備え、
前記駆動手段は、１フィールドまたは１フレーム単位の期間内において、映像信号を前記液晶表示パネルに表示させる映像期間および所定の高電圧の非表示信号を前記液晶表示パネルに表示させる非表示期間とが割り当てられるよう前記駆動を行い、
前記バックライト制御手段は、
前記１フィールドまたは１フレーム単位の期間の各水平表示期間の前記映像期間内に、前記バックライトのＯＮ期間とＯＦＦ期間とが周期的に割り当てられ、
割り当てられる前記バックライトのＯＮ／ＯＦＦ周期ＴＢと前記液晶表示パネルのゲートラインの切換期間ＴＧとの間の関係が、
ＴＢ＝（１／ｎ）・ＴＧ  （ｎ：自然数）
となるように、
前記バックライトのＯＮ／ＯＦＦの周期を制御する、液晶表示装置。
【請求項２】
ＯＣＢモード液晶を用いた、アクティブマトリックス型の液晶表示パネルと、
前記液晶表示パネルを駆動する駆動手段と、
前記液晶表示パネルを照明するバックライトと、
前記バックライトが周期的にＯＮ／ＯＦＦするように制御するバックライト制御手段とを備え、
前記駆動手段は、１フィールドまたは１フレーム単位の期間内において、映像信号を前記液晶表示パネルに表示させる映像期間および所定の高電圧の非表示信号を前記液晶表示パネルに表示させる非表示期間とが割り当てられるよう前記駆動を行い、
前記バックライト制御手段は、
前記１フィールドまたは１フレーム単位の期間の各水平表示期間の前記映像期間内の前記バックライトのＯＮ／ＯＦＦの周期が１１周期以上となるよう、
前記バックライトを制御する、液晶表示装置。
【請求項３】
ＯＣＢモード液晶を用いた、アクティブマトリックス型の液晶表示パネルと、
前記液晶表示パネルを駆動する駆動手段と、
前記液晶表示パネルを照明するバックライトと、
前記バックライトが周期的にＯＮ／ＯＦＦするように制御するバックライト制御手段とを備え、
前記駆動手段は、１フィールドまたは１フレーム単位の期間内において、映像信号を前記液晶表示パネルに表示させる映像期間および所定の高電圧の非表示信号を前記液晶表示パネルに表示させる非表示期間とが割り当てられるよう前記駆動を行い、
前記バックライト制御手段は、
前記バックライトのＯＮ／ＯＦＦが４ｋＨｚ以上の周波数で切り替わるように、前記バックライトを制御する、液晶表示装置。
【請求項４】
前記所定の高電圧は、黒表示を行うための電圧である、請求項１から３のいずれかに記載の液晶表示装置。
【請求項５】
ＯＣＢモード液晶を用いた、アクティブマトリックス型の液晶表示パネルと、前記液晶表示パネルを駆動する駆動手段と、前記液晶表示パネルを照明するバックライトとを有する液晶表示装置の駆動方法であって、
前記駆動手段によって、１フィールドまたは１フレーム単位の期間内において、映像信号を前記液晶表示パネルに表示させる映像期間および所定の高電圧の非表示信号を前記液晶表示パネルに表示させる非表示期間とを割り当てる工程と、
前記１フィールドまたは１フレーム単位の期間の各水平表示期間の前記映像期間内に、前記バックライトのＯＮ期間とＯＦＦ期間とを周期的に割り当てるとともに、
割り当てる前記バックライトのＯＮ／ＯＦＦ周期ＴＢと前記液晶表示パネルのゲートラインの切換期間ＴＧとの間の関係が、
ＴＢ＝（１／ｎ）・ＴＧ  （ｎ：自然数）
となるように、
前記バックライトのＯＮ／ＯＦＦの周期を制御する工程とを備えた、液晶表示装置の駆動方法。
【請求項６】
ＯＣＢモード液晶を用いた、アクティブマトリックス型の液晶表示パネルと、前記液晶表示パネルを駆動する駆動手段と、前記液晶表示パネルを照明するバックライトとを有する液晶表示装置の駆動方法であって、
前記駆動手段によって、１フィールドまたは１フレーム単位の期間内において、映像信号を前記液晶表示パネルに表示させる映像期間および所定の高電圧の非表示信号を前記液晶表示パネルに表示させる非表示期間とを割り当てる工程と、
前記１フィールドまたは１フレーム単位の期間の各水平表示期間の前記映像期間内の前記バックライトのＯＮ／ＯＦＦの周期が１１周期以上となるよう、前記バックライトを制御する工程とを備えた、液晶表示装置の駆動方法。
【請求項７】
ＯＣＢモード液晶を用いた、アクティブマトリックス型の液晶表示パネルと、前記液晶表示パネルを駆動する駆動手段と、
前記液晶表示パネルを照明するバックライトと、を有する液晶表示装置の駆動方法であって、
前記駆動手段によって、１フィールドまたは１フレーム単位の期間内において、映像信号を前記液晶表示パネルに表示させる映像期間および所定の高電圧の非表示信号を前記液晶表示パネルに表示させる非表示期間とを割り当てる工程と、
前記バックライトのＯＮ／ＯＦＦが４ｋＨｚ以上の周波数で切り替わるように、前記バックライトを制御する工程とを備えた、液晶表示装置の駆動方法。
【請求項８】
前記所定の高電圧は、黒表示を行うための電圧である、請求項５から７のいずれかに記載の液晶表示装置の駆動方法。
【請求項９】
請求項１に記載の液晶表示装置の、前記バックライト制御手段としてコンピュータを機能させるためのプログラム。
【請求項１０】
請求項９に記載のプログラムを記録した記録媒体であって、コンピュータにより処理可能な記録媒体。
【発明の詳細な説明】
【技術分野】
【０００１】
本発明は、ＯＣＢモード液晶を用いた液晶表示装置、液晶表示装置の駆動方法に関する。
【背景技術】
【０００２】
液晶表示装置は、薄型、軽量であり、従来のブラウン管に代替するものとして、近年一層用途が拡大されてきた。
【０００３】
ここで図４に液晶表示装置の全体図を示す。液晶表示装置４００において、液晶パネル４１０は、ＴＦＴ４１１ａ、このＴＦＴ４１１ａを介して接続される画素電極４１１ｂ、画素電極４１１ｂと対向電極４１１ｃとの間に保持された液晶層４１１ｄ、及び共通電極４１１ｅと画素電極４１１ｂとに接続された蓄積容量Ｃｓを含む、マトリックス状に配置された複数の画素４１１から構成されている。液晶パネル４１０内の各ＴＦＴ４１１ａのソース電極はソースライン４１２を介してソースドライバ４２０に、また各ＴＦＴ４１１ａのゲート電極はゲートライン４１３を介してゲートドライバ４３０に、それぞれ接続されている。
【０００４】
ゲートドライバ４３０から印加されるゲート電圧ＶｇによってＴＦＴ４１１ａが開閉され、ソースドライバ４２０からの映像信号Ｖｓが画素電極４１１ｂに供給される。また、対向電極４１１ｃと共通電極４１１ｅには電圧Ｖｃｏｍが印加される。これにより、各画素４１１を構成する液晶容量ＣＬＣ、補助容量Ｃｓには、映像信号Ｖｓに対応した所定階調の電圧が保持される。そして、液晶パネル４１０の背面に設けられたバックライト１１０からの光源光を拡散板１２０を介して受けて、画像の表示を行う。
【０００５】
なお、図においてソース／ゲート制御手段４４０は、外部電源から電力の供給を受けるとともに、表示させようとする画像信号の入力等を受け、これら信号に基づきソースドライバ４２０及びゲートドライバ４３０を駆動させる手段である。また、バックライト４５０もソース／ゲート制御手段４４０によって、ソース／ゲート駆動手段４４０の動作に対応して点灯、消灯の動作を行う。
【０００６】
現在、液晶パネル４１０の液晶層４１１ｄに広く使用されているＴＮ（Ｔｗｉｓｔｅｄ  Ｎｅｍａｔｉｃ）モードの液晶パネルは、視野角が狭く、また応答速度が遅く、液晶素子が保持型であることもあって、動画表示には尾を引くように見える等、ブラウン管等の自己発光型のディスプレイに比して画質が劣る。
【０００７】
これに対し、近年、ベンド配向を利用したＯＣＢ（Ｏｐｔｉｃａｌｌｙ  Ｃｏｍｐｅｎｓａｔｅｄ  Ｂｅｎｄ）モード液晶（例えば、特許文献１参照）が提案されている。
【０００８】
ＯＣＢモード液晶は、ＴＮモード液晶に比して高速応答かつ広視野角であることから、動画表示や大画面化に充分対応でき、ブラウン管よりも薄型で低消費電力の大画面ディスプレイを提供することができる利点を有する。
【０００９】
ＯＣＢモード液晶においては、比較的高い電圧を印加することによって液晶分子の配向状態をいわゆるスプレイ配向からベンド配向に転移させ、このベンド配向状態により画像表示を行うことを特徴としている。ＯＣＢモード液晶では、ＴＮ配向液晶表示パネルの場合と比較して、液晶分子の応答速度が著しく向上するため、動画像の表示に適している。また、ベンド配向状態にある液晶分子は、ガラス基板の上下面で互いに反対方向に傾くことになるため、光学的な補償がなされることになる。さらに、上述した位相差フィルムにより液晶層の位相差の補償がなされる。その結果、ＴＮ配向液晶表示パネルの場合よりも広い視野角を得ることができる。
【００１０】
ところで、上述したように、ＯＣＢモードの液晶表示装置では、画像表示を行うために液晶分子の配向状態をスプレイ配向からベンド配向に転移させ、ベンド配向状態を維持した状態で画像表示を行う。しかしながら、画像表示期間においても、例えば白表示のように、ベンド配向を維持するために必要となる強い電圧が長い期間に亘って印加されない場合では、液晶分子の配向状態が初期のスプレイ配向に逆転移することがある。このスプレイ配向の状態では、配向欠陥又は点欠陥等の画像不良が発生し、良好な画像表示を行うことができなくなる。
【００１１】
このような液晶分子の配向状態の逆転移を防止するため、映像信号とは異なる信号である非映像信号を一定の期間だけ画素電極に書き込むようにする技術が知られている（例えば、特許文献１を参照）。非映像信号としては、ノーマリホワイトモードのように、比較的低い電圧が印加されているときに白表示を行い、比較的高い電圧が印加されているときに黒表示を行うための信号が非映像信号として用いられる。
【００１２】
図５は、非映像信号としての高電圧を画像表示期間に挿入するタイミングチャートである。図５に示すように、一フィールドの表示期間において、映像期間の後半部に、映像期間全体の２０％程度の期間を非映像信号としての黒信号を表示する黒期間として設け、黒表示のための電圧が印加されるよう制御している）（例えば図５中の「１ライン目の表示」を参照）。
【００１３】
このように、非映像信号を、予め定められた一定の非映像信号期間内に書き込むことによって、画素電極に比較的高い電圧が印加されるのでベンド配向を維持することができる。また、黒表示を挟み込むことにより残像が解消されることになるので画像のぼけを防止することもできるようになる。
【特許文献１】特開２００３−２９５１５６号公報
【発明の開示】
【発明が解決しようとする課題】
【００１４】
一方、液晶表示装置のバックライトとしては、現在主に冷陰極管が用いられているが、これは光量の変更、すなわち調光を行うことができない。そこで、このようなバックライトでも調光を可能とするため、バックライトのＯＮ／ＯＦＦを制御することにより、表示期間全体の光量を調節するような技術が知られている。また、これにより光量の節約、装置の温度上昇を防ぐ効果もある。
【００１５】
図４に示す例では、１フィールド期間において、バックライトの点灯期間および消灯期間を一度ずつ交互に繰り返すようにして、輝度調節を行っている。このとき、１フィールド期間において、画像表示期間は実質的にはバックライトのＯＮ期間となる。
【００１６】
このようなバックライトのＯＮ／ＯＦＦによる制御を、ＯＣＢモード液晶の液晶表示装置に適用すると、以下のような不具合が生ずる。すなわち、図５に示すように、ＯＣＢモード液晶を用いた画像表示においては、上述したように、各ラインの表示を、映像期間と映像期間の後半部に設けた黒表示期間とに設けて行うようにしているが、ゲートラインをパネル上部から順に駆動させていくと、映像期間および黒期間は、ゲートラインの本数を一周期として全フィールド期間にわたってタイムチャート上を右方へシフトしていくが、バックライトのＯＮ期間およびＯＦＦ期間は、各フィールド期間毎に固定されている。
【００１７】
このとき、１ライン目のゲートラインが駆動している場合は、バックライトＯＮ期間内に映像期間が全て含まれており、ＯＦＦ期間には映像期間の一部と黒期間が全て含まれることとなり、バックライトＯＮ期間は全て映像表示期間と一致することになり、画面には映像１が表示されるが、ゲートラインの走査駆動に伴い、映像期間および黒期間は、１フィールド期間内を移動するため、次の２ライン目の表示においては、バックライトＯＮ期間には黒表示期間が含まれ、バックライトＯＦＦ期間に映像期間が含まれるようになり、映像１の表示時間は、１ライン目の表示の場合よりも短くなっている。３ライン目の各映像も同様により短く表示される。
【００１８】
以下、バックライトＯＮ期間、ＯＦＦ期間のいずれにおいても、映像期間および黒期間が周期的に現れることとなり、ゲートラインの駆動が進むにしたがって、１フィールド期間における実質的な画像表示期間は、周期的に変化することになる。
【００１９】
この変化は、ゲートライン毎の輝度の変化となって現れ、１画面上においては、図６に示すように、周期的に生ずる輝度ムラ６００として認識される。
【００２０】
本発明は、このような課題に鑑みてなされたものであり、ＯＣＢモード液晶を用い、ＯＮ／ＯＦＦ制御により調光されるバックライトを有する液晶表示装置において、輝度ムラを低減、または除去して正常な表示を行うことを可能とする、液晶表示装置、液晶表示装置の方法を提供することを目的とする。
【課題を解決するための手段】
【００２１】
上記の目的を達成するために、第１の本発明は、ＯＣＢモード液晶を用いた、アクティブマトリックス型の液晶表示パネルと、
前記液晶表示パネルを駆動する駆動手段と、
前記液晶表示パネルを照明するバックライトと、
前記バックライトが周期的にＯＮ／ＯＦＦするように制御するバックライト制御手段とを備え、
前記駆動手段は、１フィールドまたは１フレーム単位の期間内において、映像信号を前記液晶表示パネルに表示させる映像期間および所定の高電圧の非表示信号を前記液晶表示パネルに表示させる非表示期間とが割り当てられるよう前記駆動を行い、
前記バックライト制御手段は、
前記１フィールドまたは１フレーム単位の期間の各水平表示期間の前記映像期間内に、前記バックライトのＯＮ期間とＯＦＦ期間とが周期的に割り当てられ、
割り当てられる前記バックライトのＯＮ／ＯＦＦ周期ＴＢと前記液晶表示パネルのゲートラインの切換期間ＴＧとの間の関係が、
ＴＢ＝（１／ｎ）・ＴＧ  （ｎ：自然数）
となるように、
前記バックライトのＯＮ／ＯＦＦの周期を制御する、液晶表示装置である。
【００２２】
第２の本発明は、ＯＣＢモード液晶を用いた、アクティブマトリックス型の液晶表示パネルと、
前記液晶表示パネルを駆動する駆動手段と、
前記液晶表示パネルを照明するバックライトと、
前記バックライトが周期的にＯＮ／ＯＦＦするように制御するバックライト制御手段とを備え、
前記駆動手段は、１フィールドまたは１フレーム単位の期間内において、映像信号を前記液晶表示パネルに表示させる映像期間および所定の高電圧の非表示信号を前記液晶表示パネルに表示させる非表示期間とが割り当てられるよう前記駆動を行い、
前記バックライト制御手段は、
前記１フィールドまたは１フレーム単位の期間の各水平表示期間の前記映像期間内の前記バックライトのＯＮ／ＯＦＦの周期が１１周期以上となるよう、
前記バックライトを制御する、液晶表示装置である。
【００２３】
第３の本発明は、ＯＣＢモード液晶を用いた、アクティブマトリックス型の液晶表示パネルと、
前記液晶表示パネルを駆動する駆動手段と、
前記液晶表示パネルを照明するバックライトと、
前記バックライトが周期的にＯＮ／ＯＦＦするように制御するバックライト制御手段とを備え、
前記駆動手段は、１フィールドまたは１フレーム単位の期間内において、映像信号を前記液晶表示パネルに表示させる映像期間および所定の高電圧の非表示信号を前記液晶表示パネルに表示させる非表示期間とが割り当てられるよう前記駆動を行い、
前記バックライト制御手段は、
前記バックライトのＯＮ／ＯＦＦが４ｋＨｚ以上の周波数で切り替わるように、前記バックライトを制御する、液晶表示装置である。
【００２４】
第４の本発明は、前記所定の高電圧は、黒表示を行うための電圧である、第１から第３の本発明のいずれかの液晶表示装置である。
【００２５】
第５の本発明は、ＯＣＢモード液晶を用いた、アクティブマトリックス型の液晶表示パネルと、前記液晶表示パネルを駆動する駆動手段と、前記液晶表示パネルを照明するバックライトとを有する液晶表示装置の駆動方法であって、
前記駆動手段によって、１フィールドまたは１フレーム単位の期間内において、映像信号を前記液晶表示パネルに表示させる映像期間および所定の高電圧の非表示信号を前記液晶表示パネルに表示させる非表示期間とを割り当てる工程と、
前記１フィールドまたは１フレーム単位の期間の各水平表示期間の前記映像期間内に、前記バックライトのＯＮ期間とＯＦＦ期間とを周期的に割り当てるとともに、
割り当てる前記バックライトのＯＮ／ＯＦＦ周期ＴＢと前記液晶表示パネルのゲートラインの切換期間ＴＧとの間の関係が、
ＴＢ＝（１／ｎ）・ＴＧ  （ｎ：自然数）
となるように、
前記バックライトのＯＮ／ＯＦＦの周期を制御する工程とを備えた、液晶表示装置の駆動方法である。
【００２６】
第６の本発明は、ＯＣＢモード液晶を用いた、アクティブマトリックス型の液晶表示パネルと、前記液晶表示パネルを駆動する駆動手段と、前記液晶表示パネルを照明するバックライトとを有する液晶表示装置の駆動方法であって、
前記駆動手段によって、１フィールドまたは１フレーム単位の期間内において、映像信号を前記液晶表示パネルに表示させる映像期間および所定の高電圧の非表示信号を前記液晶表示パネルに表示させる非表示期間とを割り当てる工程と、
前記１フィールドまたは１フレーム単位の期間の各水平表示期間の前記映像期間内の前記バックライトのＯＮ／ＯＦＦの周期が１１周期以上となるよう、前記バックライトを制御する工程とを備えた、液晶表示装置の駆動方法である。
【００２７】
第７の本発明は、ＯＣＢモード液晶を用いた、アクティブマトリックス型の液晶表示パネルと、前記液晶表示パネルを駆動する駆動手段と、
前記液晶表示パネルを照明するバックライトと、を有する液晶表示装置の駆動方法であって、
前記駆動手段によって、１フィールドまたは１フレーム単位の期間内において、映像信号を前記液晶表示パネルに表示させる映像期間および所定の高電圧の非表示信号を前記液晶表示パネルに表示させる非表示期間とを割り当てる工程と、
前記バックライトのＯＮ／ＯＦＦが４ｋＨｚ以上の周波数で切り替わるように、前記バックライトを制御する工程とを備えた、液晶表示装置の駆動方法である。
【００２８】
第８の本発明は、前記所定の高電圧は、黒表示を行うための電圧である、第５から第７の本発明のいずれかの液晶表示装置の駆動方法である。
【００２９】
第９の本発明は、第１の本発明の液晶表示装置の、前記バックライト制御手段としてコンピュータを機能させるためのプログラムである。
【００３０】
第１０の本発明は、第９の本発明のプログラムを記録した記録媒体であって、コンピュータにより処理可能な記録媒体である。
【発明の効果】
【００３１】
上記の本発明によれば、ＯＣＢモード液晶を用い、ＯＮ／ＯＦＦ制御により調光されるバックライトを有する液晶表示装置において、輝度ムラを低減、または除去して正常な表示を行うことが可能となる。
【発明を実施するための最良の形態】
【００３２】
以下、本発明の実施の形態を、図面を参照して説明する。
【００３３】
（実施の形態１）
図１は、本発明の実施の形態１による液晶表示装置１００の構成図である。ただし、図４に示す従来例と同一または相当部には、同一符号を付し、詳細な説明は省略する。また、バックライト１１０は液晶表示パネル４１０を背面から照明する手段であり、バックライト制御手段１３０は、バックライト１１０のＯＮ／ＯＦＦを制御する手段である。なお、図１においては、バックライト１１０は液晶表示パネル４１０の下端部にのみ設けられているが、液晶表示パネル４１０の背面全面には拡散板１２０が設けられており、バックライト１１０からの照射光は、この拡散板１２０を介して、液晶表示パネル４１０の全面を照明する。
【００３４】
以上のような構成を有する、本発明の実施の形態による液晶表示装置の動作を、図２のタイミングチャートを参照して説明するとともに、これにより、本発明の液晶表示装置の駆動方法の一実施の形態の説明を行う。
【００３５】
図２に示すように、本実施の形態においては、ソース／ゲート駆動手段４４０によるゲートラインの駆動、および１フィールド期間における映像期間および黒期間の割り当ては、図５のタイミングチャートに示す従来例と同様であり、バックライト１１０のＯＮ／ＯＦＦ期間の周期を異ならせたことを特徴とする。すなわち、従来例においては、バックライト１１０のＯＮ／ＯＦＦ期間は、１フィールド期間内において１周期となっており、各ゲートラインの映像期間の時間長より、ＯＮ／ＯＦＦ期間の周期のほうが大きくなっていた。これにより、１フィールド期間内のバックライトのＯＮ／ＯＦＦ期間のそれぞれに対応する、液晶表示パネル４１０のゲートライン毎の映像期間と黒期間との時間長は、ゲートラインの走査が進むにつれて増加、または減少することとなり、映像表示が実質的に可能な期間であるバックライトＯＮ期間における映像期間が、ゲートライン毎に異なってしまい、表示画像の輝度ムラを引き起こしていた。
【００３６】
これに対し、本実施の形態においては、バックライト制御手段１３０の制御により、１フィールド期間内におけるバックライト１１０のＯＮ／ＯＦＦの周期を１０周期とり、各ゲートラインの映像期間の長さより、バックライト１１０のＯＮ／ＯＦＦ期間の周期のほうを短くなるようにした。これにより各ゲートラインの映像期間には、必ず複数のバックライトＯＮ期間が割り当てられることとなる。
【００３７】
さらに、バックライトのＯＮ／ＯＦＦ周期をＴＢとし、垂直走査期間をゲートラインの本数（図中ではＮ本）で割った値であるゲートライン間の走査期間をＴＧとしたとき、ＯＮ／ＯＦＦ周期ＴＢが、
（数１）
ＴＢ＝（１／ｎ）・ＴＧ  （ｎ：自然数）
となるような制御を行う。なお、図２ではｎ＝２とした。
【００３８】
このような制御を行うと、１フィールド期間において、バックライトＯＮ／ＯＦＦ期間が周期的に現れ（図２では１フィールド期間あたり１０周期）、ゲートラインの映像期間と黒期間は、走査が進むにつれて図中右方向へシフトするが、シフトの単位がバックライトＯＮ／ＯＦＦ期間の周期のｎ倍（図２では２倍）であるため、映像期間に新たに加わるバックライトＯＮ期間の個数と、映像期間を通過していくバックライトＯＮ期間の個数は一致する。図２においては、１ライン目から２ライン目へ移行する間に、２つのバックライトＯＮ期間が映像期間を通過することになる。
【００３９】
したがって、ゲートラインの走査が進んでも、映像期間に対応するバックライトＯＮ期間の個数は変化しない。図２では、どのゲートラインの表示においても一つの映像期間に常に８つのバックライトＯＮ期間が常に含まれている。
【００４０】
これは、各ゲートラインの映像期間に含まれるバックライトＯＮ期間が、１フィールド期間における全てのゲートラインで同一時間長となることを意味する。これにより、全てのゲートラインの表示においても、同一の輝度が得られることになるので、図６のような輝度ムラを除去することができる。
【００４１】
なお、上記の説明においては、バックライトＯＮ／ＯＦＦ期間の周期は１フィールド期間あたり１０周期としたが、（数１）の関係を満たすことが可能であれば、周期の個数によって限定されることはない。また、バックライト制御手段１３０は、（数１）の関係において、ゲートライン間の走査期間ＴＧを定数として記憶することにより保持し、これに基づき制御を行ってもよいが、ソース／ゲート駆動手段４４０からゲートライン間の走査期間ＴＧを取得して動作させるようにしてもよい。この場合、ソース／ゲート駆動手段４４０の動作条件に追従して、（数１）の関係を維持し、適切な制御を常に行うことができる。
【００４２】
（実施の形態２）
本発明の実施の形態２の液晶表示装置は、実施の形態１と同様の構成において、バックライト制御手段１３０の制御方法のみを異ならせたものである。したがって構成は図１を参照し、詳細な説明は省略する。
【００４３】
本実施の形態２の液晶表示装置においては、バックライト制御手段１３０は、ゲートライン間の走査期間長とは無関係に、バックライトＯＮ／ＯＦＦ期間の周期を１フィールド期間あたり１１周期以上としたことを特徴とする。
【００４４】
この場合は、各ゲートラインの映像期間の長さより、バックライト１１０のＯＮ／ＯＦＦ期間の周期のほうが短くなるため、各ゲートラインの映像期間には、必ず複数のバックライトＯＮ期間が割り当てられることとなる。図３に示すタイムチャートにおいては、１ライン目には実施の形態１と同様、１１個のバックライトＯＮ期間が割り当てられている。本実施の形態の場合、従来例と同様、１フィールド期間におけるバックライトのＯＮ／ＯＦＦ期間のそれぞれに対応する映像期間（および黒期間）の時間長は、ゲートラインの走査が進むにつれて増加、または減少するが、そのバックライトＯＮ期間における映像期間長の変化は、図示の例では、１ライン目における映像１に割り当てられるバックライトＯＮ期間は８個と約１／２個であり、２ライン目における映像１に割り当てられるバックライトＯＮ期間は８個と約１／３個であり、３ライン目に映像１に割り当てられるバックライトＯＮ期間は８個と約１／５個と、図５に示す従来例に比して小さくなるため、各ゲートラインの輝度の変化はより小さくなる。これにより、表示画像の輝度ムラを低減することができる。なお、各ライン映像に割り当てられるバックライトＯＮ期間は、上記各期間に厳密に限定されるものではなく、ゲートラインの輝度変化が小さい期間が適宜割り当てられることで同様の効果が得られる。
【００４５】
なお、各ゲートラインの１フィールド期間において、従来例にて説明したように、映像期間と黒期間との比率は、最大でも（映像期間：黒期間＝４：１、黒期間が全体の２０％）となっているため、従来からでもバックライトＯＮ／ＯＦＦ期間の周期は５周期程度までは制御されていたが、少なくともこれより短い周期である１１周期以上で動作させれば、図示するように、本発明の効果は得られる。
【００４６】
（実施の形態３）
本発明の実施の形態３の液晶表示装置は、実施の形態２と同様の構成において、バックライト制御手段１３０はバックライトＯＮ／ＯＦＦ期間をより短周期とし、各ゲートラインの映像期間長とは無関係にバックライトのＯＮ／ＯＦＦが４ｋＨｚ以上の周波数で切り替わるように制御することを特徴とする。
【００４７】
実施の形態２にて説明したように、バックライトＯＮ／ＯＦＦ期間の周期を各ゲートラインの映像期間の長さより短くとり、各ゲートラインの映像期間に複数のバックライトＯＮ期間を割り当てることにより、各ゲートラインの輝度の変化は小さくなり、図６のような輝度ムラを除去することができる。
【００４８】
しかしながら、画像上の輝度ムラを数値化したものと、その画像を見る人間が感じる輝度ムラの程度とは必ずしも一致しない。
【００４９】
そこで、本実施の形態３は、画像の観者が図６のような輝度ムラが解消されたと感じる程度まで、バックライトＯＮ／ＯＦＦをより高速で切り替え、高周波数で制御するものである。
【００５０】
表１は、バックライト制御手段１３０によるバックライトＯＮ／ＯＦＦ期間の周期をＯＮ／ＯＦＦ切り替えの周波数に換算してＨｚ単位で変化させたときの官能評価を示す表である。評価対象となる表示画像は輝度５００カンデラで全画面にわたり白表示相当の映像信号を印加してなる画像を用い、評価者は１０人として、バックライト１１０のＯＮ／ＯＦＦ切り替え周波数を異ならせた画像の評価を行った。
【００５１】
また、各画像は、比較例として、実施の形態２で述べた従来のバックライトＯＮ／ＯＦＦ期間である、１フィールド期間当たり５周期を周波数換算した３００Ｈｚ、実施例１として、実施の形態２によるバックライト制御周期を周波数換算した６６０Ｈｚ、実施例２，３としてより高速な値である４ｋＨｚ、８ｋＨｚの各値を設定した。なお、バックライト制御手段１３０は、ＰＷＭ方式によりＯＮ／ＯＦＦ切り替え制御を行うものとし、これは比較例においても同様とした。
【００５２】
【表１】
2007004148.tif 000003
【００５３】
表に示すように、実施例１においては、画像中最も明るい表示がなされるゲートラインと最も暗い表示がなされるゲートラインとの差は９％であり、比較例（画像中最も明るい表示がなされるゲートラインと最も暗い表示がなされるゲートラインとの差が２０％の場合）に対して数値上は改善がなされているが、評価者の判定においては輝度ムラを認識した者もいた。
【００５４】
一方、実施例２においては、画像中最も明るい表示がなされるゲートラインと最も暗い表示がなされるゲートラインとの差は１．５％となり、評価者の判定においても輝度ムラを認識した者は僅かとなり、実質的には輝度ムラは解消されたとみなすことができた。
【００５５】
また、実施例３では、評価者の判定においても輝度ムラを認識した者は皆無となり、輝度ムラは除去された。
【００５６】
以上のことから、少なくとも４ｋＨｚ以上の高い周波数にてバックライトＯＮ／ＯＦＦを切り替えることにより、看者にとっても輝度ムラが解消された画像を得ることができることがわかった。
【００５７】
なお、表示画像の階調、色等、さらには表示装置の置かれた環境によっては、画像中最も明るい表示がなされるゲートラインと最も暗い表示がなされるゲートラインとの差が数値上同一であっても、看者にとっては輝度ムラが十分低減されたと感じる場合がある。このような状態を鑑みて、切り替えを１ｋＨｚまでゆっくりさせるようにしてもよい。また、実施例３から、切り替えを８ｋＨｚ以上とすることにより、表示画像の品質、表示装置の環境に依らず、輝度ムラを除去することができることはいうまでもない。
【００５８】
なお、上記の実施の形態１においては、バックライトＯＮ／ＯＦＦ期間は垂直走査期間と同期したが、上記の実施の形態３においては、バックライトＯＮ／ＯＦＦの切り替えは垂直走査期間と同期又は非同期とすることができる。このとき、切り替えの周波数が特に低い場合は非同期となるよう制御したほうが、輝度ムラの位置が画面上で移動することになり、表示画質の維持に有効である。
【００５９】
また、上記の実施の形態１において、ゲートライン間の走査期間ＴＢは、一本のゲートラインがＯＮになる時間から次のゲートラインがＯＮになる間での時間であるとしたが、この期間が水平走査期間と同一である場合は、ＴＢとして水平走査期間の値を用いるようにしてもよい。
【００６０】
なお、上記の各実施の形態において、液晶表示パネル４１０は本発明のアクティブマトリックス型の液晶パネルに相当し、ソースドライバ４２０、ゲートドライバ４３０、ソースライン４１２、トライン４１３およびソース／ゲート制御手段４４０は、本発明の駆動手段に相当し、バックライト１１０は本発明のバックライトに、またバックライト制御手段１３０は本発明のバックライト制御手段にそれぞれ相当する。
【００６１】
また、上記の各実施の形態においては、本発明の非表示期間としては黒表示を用いたが、実質的に黒表示となるような高電圧であればよい。ノーマリブラックモードの場合は、白表示または実質的に白表示に近い表示を行わせる高電圧であればよい。
【００６２】
また、上記の各実施の形態においては、１フィールド期間を本発明の期間としたが、１フレームを期間としてもよい。
【００６３】
なお、本発明にかかるプログラムは、上述した本発明の液晶表示装置の全部または一部の手段の機能をコンピュータにより実行させるためのプログラムであって、コンピュータと協働して動作するプログラムであってもよい。
【００６４】
また、本発明は、上述した本発明の液晶表示装置の全部または一部の手段の全部または一部の機能をコンピュータにより実行させるためのプログラムを担持した媒体であり、コンピュータにより読み取り可能且つ、読み取られた前記プログラムが前記コンピュータと協動して前記機能を実行する媒体であってもよい。
【００６５】
なお、本発明の上記「一部の手段」とは、それらの複数の手段の内の幾つかの手段を意味し、あるいは、一つの手段の内の一部の機能を意味するものである。
【００６６】
また、本発明の一部の装置とは、それらの複数の装置の内の、幾つかの装置を意味し、あるいは、一つの装置の内の、一部の手段を意味し、あるいは、一つの手段の内の、一部の機能を意味するものである。
【００６７】
また、本発明のプログラムを記録した、コンピュータに読みとり可能な記録媒体も本発明に含まれる。
【００６８】
また、本発明のプログラムの一利用形態は、コンピュータにより読み取り可能な記録媒体に記録され、コンピュータと協働して動作する態様であっても良い。
【００６９】
また、本発明のプログラムの一利用形態は、伝送媒体中を伝送し、コンピュータにより読みとられ、コンピュータと協働して動作する態様であっても良い。
【００７０】
また、記録媒体としては、ＲＯＭ等が含まれ、伝送媒体としては、インターネット等の伝送機構、光・電波・音波等が含まれる。
【００７１】
また、上述した本発明のコンピュータは、ＣＰＵ等の純然たるハードウェアに限らず、ファームウェアや、ＯＳ、更に周辺機器を含むものであっても良い。
【００７２】
なお、以上説明した様に、本発明の構成は、ソフトウェア的に実現しても良いし、ハードウェア的に実現しても良い。
【産業上の利用可能性】
【００７３】
本発明にかかる液晶表示装置、液晶表示装置の駆動方法は、ＯＮ／ＯＦＦ制御により調光されるバックライトを有する液晶表示装置において、輝度ムラを低減、または除去して正常な表示を行うことが可能となる効果を有し、液晶表示装置等として有用である。
【図面の簡単な説明】
【００７４】
【図１】本発明の実施の形態１から３の液晶表示装置の構成図である。
【図２】本発明の実施の形態１の液晶表示装置の動作のタイミングチャートを示す図である。
【図３】本発明の実施の形態２の液晶表示装置の動作のタイミングチャートを示す図である。
【図４】従来の技術による液晶表示装置の構成図である。
【図５】従来の技術による液晶表示装置の動作のタイミングチャートを示す図である。
【図６】画面上の輝度ムラを模式的に示す図である。
【符号の説明】
【００７５】
１００  液晶表示装置
１１０  バックライト
１２０  拡散板
１３０  バックライト制御手段
４１０  液晶表示パネル
４２０  ソースドライバ
４３０  ゲートドライバ
４４０  ソース／ゲート駆動手段
【図１】
2007004148.tif 000004
【図２】
2007004148.tif 000005
【図３】
2007004148.tif 000006
【図４】
2007004148.tif 000007
【図５】
2007004148.tif 000008
【図６】
2007004148.tif 000009